(57)【要約】【課題】  密閉型の試料容器および開放型の試料容器に対して、それぞれ試料のサンプリングとその後におけるサンプリング管の洗浄とを、共通の試料サンプリング装置により、適正かつ円滑に行うことができる血液等の試料サンプリング装置およびサンプリング方法を提供する。【解決手段】  上部洗浄用部材１０と、前記上部洗浄用部材１０に対し上下移動可能な下部洗浄用部材１４とを備え、上部洗浄用部材１０は、サンプリング管１６を挿通する通孔１０ａと洗浄液排水孔１０ｂとを有し、前記通孔１０ａの上部開口縁部には、前記サンプリング管１６を囲繞保持するようにＯリング１１を設け、前記通孔１０ａの下部開口縁部には、ピアス針１２が連通固定され、下部洗浄用部材１４は、前記ピアス針１２を挿通する通孔１４ａと洗浄液給水孔１４ｂとを有し、前記通孔１４ａの上部開口縁部には、前記ピアス針１２を囲繞保持するようにＯリング１５を設けた構成からなる。【選択図】  図１
2005127896.tif 000002
【特許請求の範囲】
【請求項１】
上部洗浄用部材と、前記上部洗浄用部材に対し上下移動可能な下部洗浄用部材とを備え、上部洗浄用部材は、サンプリング管を挿通する通孔と洗浄液排水孔とを有し、前記通孔の上部開口縁部には、前記サンプリング管を囲繞保持するようにＯリングを設け、前記通孔の下部開口縁部には、ピアス針が連通固定され、下部洗浄用部材は、前記ピアス針を挿通する通孔と洗浄液給水孔とを有し、前記通孔の上部開口縁部には、前記ピアス針を囲繞保持するようにＯリングを設けたことを特徴とする血液等の試料サンプリング装置。
【請求項２】
前記上部洗浄用部材の一端部に支持アームを設け、この支持アームは所定位置に固定配置した駆動モータに結合されて回転駆動する送りねじの一端に枢着支承され、前記送りねじには試料容器を収納保持するためのホルダをヒンジを介して支持するホルダ支持アームの一部を螺合装着し、前記ホルダを送りねじの作用により上下移動するよう構成し、下部洗浄用部材の一端部に支持アームを設け、この支持アームは前記上部洗浄用部材の支持アームに一端部を結合固定したガイド軸に、前記ホルダ支持アームと共に挿通し、前記ガイド軸の前記上部洗浄用部材と下部洗浄用部材のそれぞれ支持アーム間に圧縮コイルばねからなる復帰ばねを装着し、前記ホルダ支持アームに対し下方に延在するホルダ下部支持プレートに始動スイッチを設けたことを特徴とする請求項１記載の血液等の試料サンプリング装置。
【請求項３】
上部洗浄用部材と下部洗浄用部材とを相対的に一方が上下移動可能となるように構成配置し、上部洗浄用部材は、サンプリング管を挿通する通孔と洗浄液排水孔とを有し、前記通孔の上部開口縁部には、前記サンプリング管を囲繞保持するようにＯリングを設け、前記通孔の下部開口縁部には、ピアス針が連通固定され、下部洗浄用部材は、前記ピアス針を挿通する通孔と洗浄液給水孔とを有し、前記通孔の上部開口縁部には、前記ピアス針を囲繞保持するようにＯリングを設けたことを特徴とする血液等の試料サンプリング装置。
【請求項４】
サンプリング管を昇降自在に挿通するピアス針を備えた上部洗浄用部材を固定配置し、前記上部洗浄用部材の下方において前記ピアス針を挿通させて上下移動する下部洗浄用部材を配設し、前記下部洗浄用部材の下方に駆動モータにより上下移動可能にして試料容器を収納保持するホルダを備えてなる血液等の試料サンプリング装置において、
(1) 下部洗浄用部材を上部洗浄用部材のピアス針先端を囲繞する洗浄待機位置に固定すると共に、駆動モータが回転駆動してホルダを下部洗浄用部材の下部に位置固定し、サンプリング管をサンプリング位置まで下降して待機させる工程と、
(2) サンプリング管に対し開放型の試料容器をセットし、試料容器内にサンプリング管を挿入する工程と、
(3) サンプリング管を試料容器内のサンプリング位置までに挿入し、ホルダの下部支持プレートに設けた始動スイッチを操作して試料のサンプリングを行う工程と、
(4) 所定のサンプリング終了後にサンプリング管を上部洗浄用部材に対し洗浄位置まで上昇させて、下部洗浄用部材からピアス針の内部を介して上部洗浄用部材へ洗浄液を供給する洗浄工程と、
(5) 所定の洗浄終了後にサンプリング管をさらに上昇させてサンプリングされた試料を分注する工程と、
からなることを特徴とする血液等の試料サンプリング方法。
【請求項５】
サンプリング管を昇降自在に挿通するピアス針を備えた上部洗浄用部材と、前記上部洗浄用部材の下方において前記ピアス針を挿通させた下部洗浄用部材とを、相対的に一方が上下移動可能となるように構成配置し、前記下部洗浄用部材に対し駆動モータにより上下移動可能にして試料容器を収納保持するホルダを備えてなる血液等の試料サンプリング装置において、
前記試料容器の種類に応じて前記ピアス針の挿通動作および駆動モータによるホルダの上下移動についての操作を選択するように設定したことを特徴とする血液等の試料サンプリング方法。
【発明の詳細な説明】
【技術分野】
【０００１】
本発明は、血液検査装置等において、採血管等により採取された血液等の試料をサンプリングすると共にサンプリング管を洗浄する方法および装置に係り、特に密閉型の試料容器および開放型の試料容器を共通の試料サンプリング装置により適正かつ円滑に行うことができる試料サンプリング装置およびサンプリング方法に関するものである。
【背景技術】
【０００２】
今日、血液検査装置の典型的な装置として、自動血球計数装置が知られている。この自動血球計数装置は、例えば図７に示すように、血液定量・希釈処理部Ａと、血球検出部Ｂと、計数処理部Ｃとから構成される。そして、このように構成される自動血球計数装置においては、採血管Ａ１からある一定料の抗凝固剤を含む血液がサンプリング管Ａ２を介して適宜希釈容器Ａ３、Ａ４にサンプリングされる。次いで、希釈容器Ａ３、Ａ４にサンプリングされた血液は、適当な量の希釈液や溶血剤Ａ５と共に反応チャンバや計数チャンバに移送され、血球検出部Ｂにおいて、赤血球／血小板Ｂ１、白血球Ｂ２、ヘモグロビン濃度Ｂ３が検出される。このようにして、血球検出部Ｂでそれぞれ検出された測定信号は、計数処理部Ｃでそれぞれ演算処理Ｃ１、Ｃ２、Ｃ３され、それらの測定結果を表示手段Ｃ４により出力表示するように構成されている。
【０００３】
しかるに、このように構成される従来の血球計数装置において、例えば採血管の血液を、吸引管（サンプリング管）を介して希釈検出器中に吸引（サンプリング）する場合、吸引管（サンプリング管）の外周部に試料血液が付着していると、この血液が希釈される血液に混入して、希釈倍率が変動することになる。従って、このような場合には、血球計数の測定結果に著しい測定誤差を生じるという問題がある。
【０００４】
このような観点から、本出願人は、先に、吸引管（サンプリング管）の外周部に付着した血液を、専用の洗浄液を使用することなく、確実に除去することができ、高い精度で血球の計数を安価に行うことのできる血球計数装置を開発し、特許を得た（特許文献１参照）。すなわち、前記特許文献１に記載の血球計数装置は、試料血液を吸引して、前記血液中の血球数を計数する計数用容器内に吐出する吸引管を具備した血球計数装置において、前記吸引管が挿通され、前記試料血液を吸引した後に前記吸引管の外周部に付着した血液を洗浄液によって洗浄除去する洗浄手段と、血球計数後に前記計数用容器内を洗浄した洗浄排液を前記吸引管用の洗浄液として前記洗浄手段に送液する送液手段を設けた構成からなるものである。
【０００５】
また、従来において、所要量の液体を吸引して、この液体を他の位置で吐出するように構成した自動分析装置におけるピペット装置に関し、ゴム栓がされたままの容器内からでも、ピペットを曲損させることなく、容易に液体を吸引することができ、しかも別途液面検出手段を配設する必要がない、構成簡易なピペット装置が提案されている（特許文献２参照）。すなわち、前記特許文献２に記載のピペット装置は、固定外筒体と、この固定外筒体内に収納された昇降動可能な内筒体とから構成し、前記内筒体と固定外筒体との間隙部には、洗浄水が供給されるようにした構成からなるものである。
【０００６】
さらに、従来において、採血管からの血液を自動的に採取できる試料採取装置として、ゴム栓にノズルを突き刺して試料容器（採血管）内部の試料（血液）を採取する際に、採取用ノズルが直接ゴム栓に触れるのを防止するようにした試料採取装置が提案されている（特許文献３参照）。すなわち、前記特許文献３に記載の試料採取装置は、ノズル部は内ノズルと外ノズルとで構成され、ゴム栓への穿刺時には、外ノズル内に内ノズルを収納した状態でその穿刺が行われ、穿刺終了後、外ノズルの先端開口から内ノズルの先端部を下降させて試料の採取を行い、試料採取後は洗浄槽を利用してノズル部の洗浄を行うようにした構成からなるものである。
【０００７】
【特許文献１】特公平７−１１９７５９号公報
【特許文献２】実公平４−８９８号公報
【特許文献３】特開平７−８３９３８号公報
【発明の開示】
【発明が解決しようとする課題】
【０００８】
しかるに、従来より血液検査や血液分析等に際し、血液採取を行うための採血管として、開放型と密閉型とが使用されてている。そこで、これらの採血管からサンプルの抜き取り（サンプリング）を行う場合、それぞれ異なるサンプリング機構が使用されている。
すなわち、密閉型の採血管からのサンプリングに際しては、先端を針状に形成したサンプリング管を備えたサンプリング機構を使用する必要がある。これに対し、開放型の採血管からのサンプリングに際して、前記サンプリング管を備えたサンプリング機構は、危険を伴うので、その使用が回避される。また、密閉型の採血管から精度良くサンプリングを行うためには、事前に採血管を大気開放することが必要であり、そのための機構が必要となり、従ってサンプリング機構を共通化することは困難であった。
【０００９】
また、一般的に、密閉型の採血管の場合は、自動化血液検査装置や血液分析装置の適用に際し、サンプリング機構と一体化させてサンプリングを行うように設定することができる。これに対し、開放型の採血管の場合は、サンプリングに際して手動操作が必要であるるため、サンプリング管を外部に露呈する必要がある。このことから、それぞれサンプリング終了後において、サンプリング管を洗浄する場合には、サンプリング機構の動作的相違から洗浄操作についても共通化することは困難であった。
【００１０】
そこで、本発明者等は、前記密閉型の採血管および開放型の採血管を共通のサンプリング装置を使用して、それぞれ適正かつ円滑なサンプリングを行うことができる方法および装置を得るため、種々検討並びに試作を重ねた結果、上部洗浄用部材と、前記上部洗浄用部材に対し上下移動可能な下部洗浄用部材とを備え、上部洗浄用部材は、サンプリング管を挿通する通孔と洗浄液排水孔とを有し、前記通孔の上部開口縁部には、前記サンプリング管を囲繞保持するようにＯリングを設け、前記通孔の下部開口縁部には、ピアス針が連通固定され、下部洗浄用部材は、前記ピアス針を挿通する通孔と洗浄液給水孔とを有し、前記通孔の上部開口縁部には、前記ピアス針を囲繞保持するようにＯリングを設けた血液等の試料サンプリング装置の開発に成功した。
【００１１】
すなわち、前記血液等の試料サンプリング装置においては、前記上部洗浄用部材の一端部に支持アームを設け、この支持アームは所定位置に固定配置した駆動モータに結合されて回転駆動する送りねじの一端に枢着支承し、前記送りねじには採血管を収納保持するためのホルダをヒンジを介して支持するホルダ支持アームの一部を螺合装着して、前記ホルダを送りねじの作用により上下移動するように構成し、下部洗浄用部材の一端部に支持アームを設け、この支持アームは前記上部洗浄用部材の支持アームに一端部を結合固定したガイド軸に、前記ホルダ支持アームと共に挿通し、前記ガイド軸の前記上部洗浄用部材と下部洗浄用部材のそれぞれ支持アーム間に圧縮コイルばねからなる復帰ばねを装着し、前記ホルダ支持アームに対し下方に延在するホルダ下部支持プレートに始動スイッチを設けた構成とすることにより、前述した密閉型の採血管および開放型の採血管による血液のサンプリング操作およびサンプリング管の洗浄操作を、それぞれ適正かつ円滑に達成することができることを突き止めた。なお、上部洗浄用部材が上下移動可能であり、下部洗浄用部材が固定された試料サンプリング装置装置でも、同様に密閉型の採血管および開放型の採血管による血液のサンプリング操作およびサンプリング管の洗浄操作が可能である。
【００１２】
従って、本発明の目的は、密閉型の試料容器および開放型の試料容器に対して、それぞれ試料のサンプリングとその後におけるサンプリング管の洗浄とを、共通の試料サンプリング装置により、適正かつ円滑に行うことができる血液等の試料サンプリング装置およびサンプリング方法を提供することにある。
【課題を解決するための手段】
【００１３】
前記の目的を達成するため、本発明に係る請求項１に記載の血液等の試料サンプリング装置は、上部洗浄用部材と、前記上部洗浄用部材に対し上下移動可能な下部洗浄用部材とを備え、上部洗浄用部材は、サンプリング管を挿通する通孔と洗浄液排水孔とを有し、前記通孔の上部開口縁部には、前記サンプリング管を囲繞保持するようにＯリングを設け、前記通孔の下部開口縁部には、ピアス針が連通固定され、下部洗浄用部材は、前記ピアス針を挿通する通孔と洗浄液給水孔とを有し、前記通孔の上部開口縁部には、前記ピアス針を囲繞保持するようにＯリングを設けたことを特徴とする。
【００１４】
本発明に係る請求項２に記載の血液等の試料サンプリング装置は、前記上部洗浄用部材の一端部に支持アームを設け、この支持アームは所定位置に固定配置した駆動モータに結合されて回転駆動する送りねじの一端に枢着支承され、前記送りねじには試料容器を収納保持するためのホルダをヒンジを介して支持するホルダ支持アームの一部を螺合装着し、前記ホルダを送りねじの作用により上下移動するよう構成し、下部洗浄用部材の一端部に支持アームを設け、この支持アームは前記上部洗浄用部材の支持アームに一端部を結合固定したガイド軸に、前記ホルダ支持アームと共に挿通し、前記ガイド軸の前記上部洗浄用部材と下部洗浄用部材のそれぞれ支持アーム間に圧縮コイルばねからなる復帰ばねを装着し、前記ホルダ支持アームに対し下方に延在するホルダ下部支持プレートに始動スイッチを設けたことを特徴とする。
【００１５】
本発明に係る請求項３に記載の血液等の試料サンプリング装置は、上部洗浄用部材と下部洗浄用部材とを相対的に一方が上下移動可能となるように構成配置し、上部洗浄用部材は、サンプリング管を挿通する通孔と洗浄液排水孔とを有し、前記通孔の上部開口縁部には、前記サンプリング管を囲繞保持するようにＯリングを設け、前記通孔の下部開口縁部には、ピアス針が連通固定され、下部洗浄用部材は、前記ピアス針を挿通する通孔と洗浄液給水孔とを有し、前記通孔の上部開口縁部には、前記ピアス針を囲繞保持するようにＯリングを設けたことを特徴とする。
【００１６】
本発明に係る請求項４に記載の血液等の試料サンプリング方法は、サンプリング管を昇降自在に挿通するピアス針を備えた上部洗浄用部材を固定配置し、前記上部洗浄用部材の下方において前記ピアス針を挿通させて上下移動する下部洗浄用部材を配設し、前記下部洗浄用部材の下方に駆動モータにより上下移動可能にして試料容器を収納保持するホルダを備えてなる血液等の試料サンプリング装置において、
(1) 下部洗浄用部材を上部洗浄用部材のピアス針先端を囲繞する洗浄待機位置に固定すると共に、駆動モータが回転駆動してホルダを下部洗浄用部材の下部に位置固定し、サンプリング管をサンプリング位置まで下降して待機させる工程と、
(2) サンプリング管に対し開放型の試料容器をセットし、試料容器内にサンプリング管を挿入する工程と、
(3) サンプリング管を試料容器内のサンプリング位置までに挿入し、ホルダの下部支持プレートに設けた始動スイッチを操作して試料のサンプリングを行う工程と、
(4) 所定のサンプリング終了後にサンプリング管を上部洗浄用部材に対し洗浄位置まで上昇させて、下部洗浄用部材からピアス針の内部を介して上部洗浄用部材へ洗浄液を供給する洗浄工程と、
(5) 所定の洗浄終了後にサンプリング管をさらに上昇させてサンプリングされた試料を分注する工程と、
からなることを特徴とする。
【００１７】
本発明に係る請求項５に記載の血液等の試料サンプリング方法は、サンプリング管を昇降自在に挿通するピアス針を備えた上部洗浄用部材と、前記上部洗浄用部材の下方において前記ピアス針を挿通させた下部洗浄用部材とを、相対的に一方が上下移動可能となるように構成配置し、前記下部洗浄用部材に対し駆動モータにより上下移動可能にして試料容器を収納保持するホルダを備えてなる血液等の試料サンプリング装置において、
前記試料容器の種類に応じて前記ピアス針の挿通動作および駆動モータによるホルダの上下移動についての操作を選択するように設定したことを特徴とする。
【発明の効果】
【００１８】
本発明の請求項１および２に記載の血液等の試料サンプリング装置によれば、上部洗浄用部材と、前記上部洗浄用部材に対し上下移動可能な下部洗浄用部材とを備え、上部洗浄用部材は、サンプリング管を挿通する通孔と洗浄液排水孔とを有し、前記通孔の上部開口縁部には、前記サンプリング管を囲繞保持するようにＯリングを設け、前記通孔の下部開口縁部には、ピアス針が連通固定され、下部洗浄用部材は、前記ピアス針を挿通する通孔と洗浄液給水孔とを有し、前記通孔の上部開口縁部には、前記ピアス針を囲繞保持するようにＯリングを設けた構成とすることにより、密閉型の試料容器および開放型の試料容器に対して、それぞれ試料のサンプリングとその後におけるサンプリング管の洗浄とを、共通の試料サンプリング装置により、適正かつ円滑に行うことができる。
【００１９】
本発明の請求項３に記載の試料サンプリング装置によれば、試料サンプリング機構の若干の設計変更によっても、密閉型の試料容器あるいは開放型の試料容器の種類に応じて適宜操作を選択することにより、試料のサンプリングから、その後におけるサンプリング管の洗浄とを、共通の試料サンプリング装置により、適正かつ円滑に行うことができる。
【００２０】
また、本発明の請求項４記載の血液等の試料サンプリング方法によれば、前記構成からなる試料サンプリング装置を適用して、下部洗浄用部材を上部洗浄用部材のピアス針先端を囲繞する洗浄待機位置に固定すると共に、駆動モータが回転駆動してホルダを下部洗浄用部材の下部に位置固定し、サンプリング管をサンプリング位置まで下降して待機させることによって、開放型の試料容器を使用する場合における試料のサンプリングから、その後におけるサンプリング管の洗浄を円滑に達成することができる。
【００２１】
さらに、本発明の請求項５記載の血液等の試料サンプリング方法によれば、前記試料サンプリング機構の若干の設計変更によっても、密閉型の試料容器あるいは開放型の試料容器の種類に応じて適宜操作を選択することにより、試料のサンプリングから、その後におけるサンプリング管の洗浄を円滑に達成することができる。
【発明を実施するための最良の形態】
【００２２】
次に、本発明に係る血液等の試料サンプリング装置およびサンプリング方法の実施例につき、添付図面を参照しながら以下詳細に説明する。
【実施例１】
【００２３】
図１は、本発明に係る血液等の試料サンプリング装置の一実施例を示す血液サンプリング装置である。すなわち、本実施例の血液サンプリング装置は、上部洗浄用部材１０と、前記上部洗浄用部材１０に対し上下移動可能な下部洗浄用部材１４とを備える。上部洗浄用部材１０は、サンプリング管１６を挿通する通孔１０ａと洗浄液排水孔１０ｂとを有し、前記通孔１０ａの上部開口縁部には、前記サンプリング管１６を囲繞保持するようにＯリング１１が設けられ、前記通孔１０ａの下部開口縁部には、ピアス針１２が連通固定されている。また、下部洗浄用部材１４は、前記ピアス針１２を挿通する通孔１４ａと洗浄液給水孔１４ｂとを有し、前記通孔１４ａの上部開口縁部には、前記ピアス針１２を囲繞保持するようにＯリング１５が設けられている（図１参照）。
【００２４】
しかるに、本実施例の血液サンプリング装置においては、図１に示すように、上部洗浄用部材１０の一端部に、支持アーム３０が設けられ、この支持アーム３０は所定位置に固定配置された駆動モータ３１に結合されて回転駆動する送りねじ３２の一端に枢着支承されている。前記送りねじ３２には、密閉型の採血管２０Ａを収納保持するためのホルダ４０をヒンジ４１を介して支持するホルダ支持アーム４２の一部が螺合装着される。すなわち、前記ホルダ４０は、送りねじ３２の作用により上下移動するように構成されている。なお、前記ホルダ４０には、サンプリング管１６を挿通するための挿通孔４０ａが設けられている。また、下部洗浄用部材１４の一端部に、支持アーム３４が設けられ、この支持アーム３４は前記上部洗浄用部材１０の支持アーム３０に一端部を結合固定したガイド軸３６に、前記ホルダ支持アーム４２と共に挿通する。そして、ガイド軸３６の前記支持アーム３０と支持アーム３４との間に、圧縮コイルばねからなる復帰ばね３５を装着する。さらに、前記ホルダ支持アーム４２に対し下方に延在するホルダ下部支持プレート４４に、後述する開放型の採血管２０Ｂを使用する場合に操作する始動スイッチ４６を設ける。なお、参照符号５０は、装置本体ケースを示し、ホルダ４０が下降位置にある場合に、前記始動スイッチ４６を装置本体の内部に位置するように設定されている。
【００２５】
このように構成した本実施例の血液サンプリング装置は、後述する図２に示す実施例２のように、密閉型の採血管２０Ａを使用する場合における、サンプリング管１６による血液のサンプリング操作およびサンプリング管１６の洗浄操作を、適正かつ円滑に行うことができる。また、本実施例の血液サンプリング装置は、図４に示すように、ホルダ４０の設定を行うと共に、サンプリング管１６の操作を変更することにより、後述する図５に示す実施例３のように、開放型の採血管２０Ｂを使用する場合における、サンプリング管１６による血液のサンプリング操作およびサンプリング管１６の洗浄操作を、適正かつ円滑に行うことができる。
【実施例２】
【００２６】
前記構成からなる血液サンプリング装置を使用して、密閉型の採血管２０Ａを対象とする場合における、サンプリング管１６による血液のサンプリング操作とサンプリング管１６の洗浄操作について、図２の（ａ）〜（ｇ）に示す概略構成と共に、図３の動作工程を示すフローチャート図を併せ参照しながら説明する。
【００２７】
図２の（ａ）において、まず下部洗浄用部材１４を、上部洗浄用部材１０のピアス針１２の先端をＯリング１５で囲繞する洗浄待機位置に設定する。この時、サンプリング管１６は、上部洗浄用部材１０より上方位置に待機させる。そして、ホルダ４０を開放状態にする（ＳＴＥＰ−３１）。
図２の（ｂ）において、ホルダ４０にに密閉型の採血管２０Ａをセットした後、ホルダ４０を閉じる（ＳＴＥＰ−３２）。
図２の（ｃ）において、駆動モータ３１を回転駆動して送りねじ３２の作用によりホルダ４０を上昇させ、下部洗浄用部材１４の下部に採血管２０Ａを当接し、さらに下部洗浄用部材１４を復帰ばね３５の弾力に抗して上昇させて上部洗浄用部材１０の下部に当接させると共に、ピアス針１２の先端を採血管２０Ａのゴム栓２１に刺通する（ＳＴＥＰ−３３）。
図２の（ｄ）において、サンプリング管１６を下降させて採血管２０Ａ内のサンプリング位置まで挿入し、血液のサンプリングを行う（ＳＴＥＰ−３４）。
図５の（ｅ）において、所定のサンプリング終了後にサンプリング管１６を上昇させると共に、駆動モータ３１を回転駆動して送りねじ３２の作用によりホルダを下降させると共に、復帰ばね３５の弾力により下部洗浄用部材１４を洗浄待機位置まで下降させる（ＳＴＥＰ−３５）。
図２の（ｆ）において、サンプリング管１６を上部洗浄用部材１０に対し洗浄待機位置まで上昇させ、下部洗浄用部材１４の洗浄液給水孔１４ｂから、ピアス針１２の内部を介して、上部洗浄用部材１０の洗浄液排水孔１０ｂへ、洗浄液を負圧条件下に供給して洗浄を行う（ＳＴＥＰ−３６）。この場合、サンプリング管１６の外周に付着した血液は、その上昇に際して、Ｏリング１１の作用により上部洗浄用部材１０の通孔１０ａおよびピアス針１２の内部に掻き集められ、またピアス針１２の外周に付着した血液は、下部洗浄用部材１４の下降に際して、Ｏリング１５の作用により下部洗浄用部材１４の通孔１４ａの内部に掻き集められて、前記洗浄液の流通により、円滑に外部へ排水洗浄される。
図２の（ｇ）において、所定の洗浄終了後に前記サンプリング管１６をさらに上昇させてサンプリングされた血液を分注すると共に、駆動モータ３１を回転駆動して送りねじ３２の作用によりホルダをさらに下降させ、採血管２０Ａを収納保持するホルダ４０を開放する（ＳＴＥＰ−３７）。
このようにして、前記図２の（ａ）に示す状態となり、次の採血管２０Ａのサンプリング操作に対する待機状態となる。
【実施例３】
【００２８】
また、前記構成からなる血液サンプリング装置を使用して、開放型の採血管２０Ｂを対象とする場合における、サンプリング管１６による血液のサンプリング操作とサンプリング管１６の洗浄操作について、図５の（ａ）〜（ｅ）に示す概略構成と共に、図６の動作工程を示すフローチャート図を併せ参照しながら説明する。
【００２９】
図５の（ａ）において、まず下部洗浄用部材１４を、上部洗浄用部材１０のピアス針１２の先端をＯリング１５で囲繞する洗浄待機位置に固定する。この時、駆動モータ３１が回転駆動して送りねじ３２の作用によりホルダ４０を下部洗浄用部材１４の下部に位置固定し、サンプリング管１６をサンプリング位置まで下降して待機させる（ＳＴＥＰ−４１）。
図５の（ｂ）において、サンプリング管１６に対し開放型の採血管２０Ｂをセットし、採血管２０Ｂ内にサンプリング管１６を挿入する（ＳＴＥＰ−４２）。
図８の（ｃ）において、サンプリング管１６を採血管２０Ｂ内のサンプリング位置まで挿入し、ホルダ４０の下部支持プレート４４に設けた始動スイッチ４６を操作して血液のサンプリングを行う（ＳＴＥＰ−４３）。
図５の（ｄ）において、所定のサンプリング終了後にサンプリング管１６を上部洗浄用部材１０に対し洗浄待機位置まで上昇させ、下部洗浄用部材１４の洗浄液給水孔１４ｂからピアス針１２の内部を介して、上部洗浄用部材１０の洗浄液排水孔１０ｂへ、洗浄液を負圧条件下に供給して洗浄を行う（ＳＴＥＰ−４４）。この場合、サンプリング管１６の外周に付着した血液は、その上昇に際して、Ｏリング１１の作用により上部洗浄用部材１０の通孔１０ａおよびピアス針１２の内部に掻き集められ、前記洗浄液の流通により、円滑に外部へ排水洗浄される。
図５の（ｅ）において、所定の洗浄終了後にサンプリング管１６をさらに上昇させてサンプリングされた試料を分注する（ＳＴＥＰ−４５）。
このようにして、前記図５の（ａ）に示す状態となり、次の採血管２０Ｂのサンプリング操作に対する待機状態となる。
【００３０】
以上、本発明の好適な実施例について説明したが、本発明は前述した実施例の血液サンプリング装置に限定されることなく、例えば上部洗浄用部材を上下移可能とし、下部洗浄用部材を固定することによっても、密閉型の試料容器および開放型の試料容器による試料のサンプリング操作およびサンプリング管の洗浄操作が可能であり、しかも血液以外の各種試料のサンプリング装置としても有効に適用することができ、その他本発明の精神を逸脱しない範囲内において、多くの設計変更を行うことができる。
【図面の簡単な説明】
【００３１】
【図１】本発明に係る血液等の試料サンプリング装置の一実施例を示す概略構成図である。
【図２】（ａ）〜（ｇ）は、図１に示す血液等の試料サンプリング装置を使用して、密閉型の採血管から血液のサンプリングを行う場合のサンプリング開始から終了までの工程を示す説明図である。
【図３】図２に示す本発明に係る血液等の試料サンプリング装置におけるサンプリング方法の動作工程を示すフローチャート図である。
【図４】図１に示す本発明に係る血液等の試料サンプリング装置により開放型の採血管から血液のサンプリングを行う場合の試料サンプリング装置の設定状態を示す概略構成図である。
【図５】（ａ）〜（ｅ）は、図４に示す血液等の試料サンプリング装置の設定状態において、開放型の採血管から血液のサンプリングを行う場合のサンプリング開始から終了までの工程を示す説明図である。
【図６】図５に示す本発明に係る血液等の試料サンプリング装置におけるサンプリング方法の動作工程を示すフローチャート図である。
【図７】自動血球計数装置のシステム構成を示す概略ブロック結線図である。
【符号の説明】
【００３２】
１０  上部洗浄用部材
１０ａ  通孔
１０ｂ  洗浄液排水孔
１１  Ｏリング
１２  ピアス針
１４  下部洗浄用部材
１４ａ  通孔
１４ｂ  洗浄液給水孔
１５  Ｏリング
１６  サンプリング管
２０Ａ  密閉型の採血管
２０Ｂ  開放型の採血管
３０  支持アーム
３１  駆動モータ
３２  送りねじ
３４  支持アーム
３５  復帰ばね
３６  ガイド軸
４０  ホルダ
４０ａ  サンプリング管の挿通孔
４１  ヒンジ
４２  ホルダ支持アーム
４４  ホルダ下部プレート
４６  始動スイッチ
５０  装置本体ケース
【図１】
2005127896.tif 000003
【図２】
2005127896.tif 000004
【図３】
2005127896.tif 000005
【図４】
2005127896.tif 000006
【図５】
2005127896.tif 000007
【図６】
2005127896.tif 000008
【図７】
2005127896.tif 000009